(57)【要約】【課題】遊技機枠を安定に自立させることができる遊技機枠の自立装置を提供する。【解決手段】支持部材４が遊技機枠の一側部５に回転可能に取付けられ、支持部材４が遊技機枠に対して後方に開放されるとともに所定角度に保持され、遊技機枠と支持部材４とが床に接地されることで、支持部材４が遊技機枠を後傾状態に支えるものとした。支持部材４が遊技機枠の両側部５，５に遊技機枠の後方に回動するように設けられた回転部材６，６と各回転部材６，６の下端７，７側を相互に連結する連結部材８とを備えることが好ましい。遊技機枠が固定枠１に片開き可能に取付けられる開閉枠２である場合、開閉枠２に支持部材４が取付けられ、連結部材８が開閉枠２の下端２０と固定枠１の幕板部分２１の上端２２との間に収納されるベース部２３と、ベース部の前端側に設けられた垂れ下がり部２７と、ベース部の後端側に設けられた立ち上がり部２５とを備えることが好ましい。【選択図】        図１
2004166780.tif 000002
【特許請求の範囲】
【請求項１】
支持部材が遊技機枠の一側部に回転可能に取付けられ、支持部材が遊技機枠に対して後方に開放されるとともに所定角度に保持され、遊技機枠と支持部材とが床に接地されることで、支持部材が遊技機枠を後傾状態に支えることを特徴とする遊技機枠の自立装置。
【請求項２】
支持部材が遊技機枠の両側部に回転可能に取付けられ、支持部材が遊技機枠に対して後方に開放されるとともに所定角度に保持され、遊技機枠と支持部材とが床に接地されることで、支持部材が遊技機枠を後傾状態に支えることを特徴とする遊技機枠の自立装置。
【請求項３】
支持部材が遊技機枠の両側部に遊技機枠の後方に回動するように設けられた回転部材と各回転部材の下端を相互に連結する連結部材とを備えたことを特徴とする請求項２に記載の遊技機枠の自立装置。
【請求項４】
遊技機枠が固定枠に片開き可能に取付けられる開閉枠であり、開閉枠に支持部材が取付けられ、連結部材が開閉枠の下端と固定枠の幕板部分の上端との間に収納されることを特徴とする請求項３に記載の遊技機枠の自立装置。
【請求項５】
連結部材が開閉枠の下端と固定枠の幕板部分の上端との間に収納されるベース部と、ベース部の前端側に設けられた垂れ下がり部とを備えたことを特徴とする請求項４に記載の遊技機枠の自立装置。
【請求項６】
連結部材が開閉枠の下端と固定枠の幕板部分の上端との間に収納されるベース部と、ベース部の後端側に設けられた立ち上がり部とを備えたことを特徴とする請求項４に記載の遊技機枠の自立装置。
【請求項７】
立ち上がり部の上部にベース部と対向する対向部を備えたことを特徴とする請求項６に記載の遊技機枠の自立装置。
【発明の詳細な説明】
【０００１】
【発明の属する技術分野】
本発明は、開閉枠や固定枠等の遊技機枠を自立させる自立装置に関する。
【０００２】
【従来の技術】
遊技機設置設備としての島に対するパチンコ機やスロット機等の遊技機の設置作業や、製造メーカーでの遊技機の製造過程において、開閉枠（前枠）や固定枠（外枠）等の遊技機枠を床に自立させる装置としては、本出願人による出願（特願２００１−８８３２０号）のものがある。
【０００３】
【発明が解決しようとする課題】
しかし、特願２００１−８８３２０号に記載された自立装置は、遊技機枠の下側に設けられる脚部で遊技機枠を支えるので、遊技機枠がふらつきやすい傾向がある。
本発明は、遊技機枠を安定に自立させることができる遊技機枠の自立装置を提供する。
【０００４】
【課題を解決するための手段】
本発明による遊技機枠の自立装置は、支持部材が遊技機枠の一側部に回転可能に取付けられ、支持部材が遊技機枠に対して後方に開放されるとともに所定角度に保持され、遊技機枠と支持部材とが床に接地されることで、支持部材が遊技機枠を後傾状態に支えるものとした。これによれば、支持部材で後傾状態の遊技機枠の一側部を支持するので、遊技機枠の下側に設けられる脚部で遊技機枠を支える自立装置に比べて、遊技機枠を安定に自立させることができる。
また、支持部材が遊技機枠の両側部に回転可能に取付けられ、支持部材が遊技機枠に対して後方に開放されるとともに所定角度に保持され、遊技機枠と支持部材とが床に接地されることで、支持部材が遊技機枠を後傾状態に支えるものとした。これによれば、支持部材で後傾状態の遊技機枠の両側部を支持するので、遊技機枠の下側に設けられる脚部で遊技機枠を支える自立装置に比べて、遊技機枠を安定に自立させることができる。
また、支持部材が遊技機枠の両側部に遊技機枠の後方に回動するように設けられた回転部材と各回転部材の下端側を相互に連結する連結部材とを備えた。これによれば、さらに自遊技機枠を安定に自立させることができ、また、一方の回転部材を操作するだけで支持部材を自立動作状態に設定できるので支持部材の操作性が良くなる。
また、遊技機枠が固定枠に片開き可能に取付けられる開閉枠であり、開閉枠に支持部材が取付けられ、連結部材が開閉枠の下端と固定枠の幕板部分の上端との間に収納されるものとした。これによれば、開閉枠の裏側に突出する支持部材の部分を少なくでき、開閉枠の裏側において遊技部品設置スペースを多く取れるようになる。
また、連結部材が開閉枠の下端と固定枠の幕板部分の上端との間に収納されるベース部と、ベース部の前端側に設けられた垂れ下がり部とを備えるものとした。これにより、不正行為抑止効果を高めることができる。
また、連結部材が開閉枠の下端と固定枠の幕板部分の上端との間に収納されるベース部と、ベース部の後端側に設けられた立ち上がり部とを備えるものとした。これにより、不正行為抑止効果を高めることができる。
また、立ち上がり部の上部にベース部と対向する対向部を備えるものとした。これにより、不正行為抑止効果をさらに高めることができる。
【０００５】
【発明の実施の形態】
実施形態１．
図１は固定枠、開閉枠の裏側、開閉枠に取付けられる支持部材を分解して示す分解斜視図、図２は固定枠、開閉枠、支持部材の関係を側方から見た図、図３〜６は支持部材の保持機構を示す図である。
図１において、１は遊技機設置設備としての島（図示せず）に取付けられる額縁状の固定枠、２は上下ヒンジ部品３Ａ，３Ｂを介して固定枠１に対して片開き可能に取付けられる開閉枠、４は支持部材である。支持部材４は、開閉枠２の両側部５，５の裏側に開閉枠２の後方に回動可能に取付けられた回転部材６，６と、各回転部材６，６の下端７，７を相互に連結する連結部材８とで構成されている。
開閉枠２の裏側には、裏機構板（リヤプレート）９が設けられ、この裏機構板９と開閉枠２との間に形成された遊技盤収納空間１０に遊技盤１１が収納される。裏機構板９の裏側には上タンク１２、球払出機構１３、上タンク１２からの球を球払出機構１３に導くための下タンク１４、カバー部品１５，１６等の遊技部品が取付けられている。遊技盤１１あるいは裏機構板９の裏側には、図示しない図柄表示装置，制御装置，電源装置等の遊技部品が設けられ、これら遊技部品はカバー部品１５，１６で覆われている。また、図２に示すように開閉枠２の前側には上皿装置１７、下皿装置１８、発射操作装置１９等の遊技部品が設けられている。
連結部材８は、開閉枠２の下端２０と固定枠１の幕板部分２１の上端２２との間に収納されるベース部２３と、このベース部２３の後端２４側に設けられた立ち上がり部２５と、ベース部２３の前端２６側に設けられた垂れ下がり部２７とを備える（詳細は図８を参照）。垂れ下がり部２７、ベース部２３、立ち上がり部２５は、ヒンジ部品３Ｂが設けられている部分をよけて固定枠１の横幅間のほぼ全長Ｈ（図１参照）に渡って存在するように設けられている。
開閉枠２の上下間の中間位置あるいはその近傍でかつ開閉枠２の裏面２０Ｒの両側部５，５側には回転部材取付部品２８，２８が取付けられており、この回転部材取付部品２８，２８に回転部材６，６の上端２９，２９側が取付けられる。つまり、回転部材６の上端２９側に形成された穴３０（または回転支持軸）と回転部材取付部品２８に設けられた回転支持軸３１（または穴）とによりヒンジ機構３２が構成され、これにより、回転部材６，６が開閉枠２の後方側に回転可能になっている。
【０００６】
遊技機製造過程やホールでの遊技機設置作業時等において、開閉枠２を床１００に自立させたいときは、図２の二点鎖線で示すように、支持部材４を開閉枠２の後方に開いて保持機構３３で所定角度に保持させ、開閉枠２の下端２０と支持部材４の垂れ下がり部２７とを床１００に接地させることで、支持部材４が開閉枠２を後傾状態に支え、開閉枠２を床１００に自立させることができる。
支持部材４を所定角度に保持する保持機構３３の構成としては、例えば図３に示すように、回転部材６の上端２９側に回転規制穴３４を設け、また、回転部材取付部品２８にも回転規制穴３５を設け、これら回転規制穴３４，３５内にピン３６を差し込んで支持部材４を所定角度に保持すればよい。また図４に示すように、開閉枠２側に突っ張り棒３７を設け、この突っ張り棒３７の先端に設けたフック３８を回転部材６に設けた係止棒３９に係止して支持部材４を所定角度に保持すればよい。また図５に示すように、回転部材取付部品２８に設けられた回転支持軸３１に突起４０を設け、回転部材６の上端２９側に形成された穴３０の一部に回転許容規制空間４１を設けたり、あるいは図６に示すように、回転部材６に回転支持軸４２を設けてこれに突起４３を設け、回転部材取付部品２８に回転支持軸４２が挿入される穴４４を設けるとともに上記突起４３に衝突する回転規制部４５を設けることで、支持部材４が所定角度以上後方に回転しないように構成すればよい。尚、上記以外のロック機構等で保持機構３３を構成してもよい。即ち、少なくとも支持部材４が所定角度以上後方に回転しないように規制する機能を備えた保持機構３３を設ければよく、この保持機構３３と保持機構３３で保持される支持部材４とで自立装置が構成される。
【０００７】
また、島に設置された固定枠１に開閉枠２を取付ける場合は、支持部材４を図２の実線で示すように、開閉枠２の裏面２０Ｒ方向に回転させて収納状態にしてから取付ける。これにより、連結部材８のベース部２３は開閉枠２の下端２０と固定枠１の幕板部分２１の上端２２との間に収納され、垂れ下がり部２７はベース部２３の前端２６側から幕板部分２１の前面５０に垂れ下がる。これにより、遊技者が開閉枠２の下端２０と固定枠１の幕板部分２１の上端２２との間から針金等を差し入れて遊技機の裏側にある制御装置を操作するような不正行為を防げる。つまり、仮に、垂れ下がり部２７と幕板部分２１の前面５０との間から針金等を差し込めたとしてもベース部２３が邪魔になるので針金等の先端を制御装置のあるところまで進めるのは困難となるので、不正行為を抑止できる。また、仮に、開閉枠２の下端２０とベース部２３との間から針金等を差し込めたとしても立ち上がり部２５が邪魔になるので針金等の先端を制御装置のあるところまで進めるのが困難となり、不正行為を抑止できる。
【０００８】
実施形態１によれば、開閉枠２の上下間の中間位置あるいはその近傍でかつ開閉枠２の裏面２０Ｒの両側部５，５側に回転可能に取付けられ、開閉枠２に対して後方に開放されるとともに保持機構３３により所定角度に保持され、開閉枠２を後傾状態に支える支持部材４を備えたので、開閉枠の下側に設けられる脚部で遊技機枠を支える特願２００１−８８３２０号に記載された自立装置に比べて、開閉枠２を安定に自立させることができる。
また、床１００に接地する連結部材８を備えたので、開閉枠２をさらに安定に自立させることができる。また、２つの回転部材６，６を連結部材８で連結したコ字形状の支持部材４としたので、自立動作時及び収納時に一方の回転部材６だけを回転させれば良いので、操作性が良い。また、連結部材８のベース部２３を開閉枠２の下端２０と固定枠１の幕板部分２１の上端２２との間に収納するようにしたので、開閉枠２の裏側に突出する支持部材４の部分を少なくでき、開閉枠２の裏側において遊技部品設置スペースを多く取れるようになる。また、垂れ下がり部２７と立ち上がり部２５とを備えるので、不正行為抑止効果を高めることができる。
また、特願２００１−８８３２０号に記載された自立装置では、自立安定性を良くするためには脚部を大型化する必要があり、このように脚部を大型化すると例えば開閉枠を固定枠に設置するときに脚部が邪魔になるが、実施形態１では、連結部材８のベース部２３を開閉枠２の下端２０と固定枠１の幕板部分２１の上端２２との間に収納できるので、開閉枠２を固定枠１に設置するとき支持部材４が邪魔になるようなことはない。また特願２００１−８８３２０号では、開閉枠とは別体の脚部を自立装置として用いたものも記載されているが、この場合、別体の自立装置も一緒にホールに運搬しなくてはならず、運搬手間がかかるという課題がある。一方、実施形態１によれば、支持部材４を開閉枠２に取付けた状態で運搬できるので、運搬手間もかからない。
【０００９】
実施形態２．
自立動作時に遊技盤１１や制御装置等の遊技部品を搭載した開閉枠２の重量が垂れ下がり部２７に加わるので、垂れ下がり部２７に強度を持たせたい場合には、図７に示すように、ベース部２３と垂れ下がり部２７との間に補強リブ５１を設けるようにして、垂れ下がり部２７の強度を補強すればよい。この補強リブ５１は、垂れ下がり部２７の横幅全長に渡って設けてもよいし、所定間隔を隔てて複数設けてもよい。この場合、補強リブ５１に対応する幕板部分２１の上部には切り欠き部５２を設けておけばよい。
【００１０】
実施形態３．
また図８に示すように、立ち上がり部２５の上部にベース部２３と対向する対向部６０を設けるようにすれば、不正行為抑止効果をさらに高めることができる。即ち、仮に、開閉枠２の下端２０とベース部２３との間から針金等を差し込み、針金等の先端を立ち上がり部２５に沿わせて上方に曲げることができたとしても、その後、対向部６０が邪魔になってそれ以上針金等の先端を上方に進めることは困難となり、針金等の先端を制御装置のあるところまで進めることはできなくなるので、不正行為抑止効果をさらに高めることができる。
【００１１】
尚、上記立ち上がり部２５、垂れ下がり部２７は、どちらか一方だけ設けるようにしてもよい。この場合でも不正行為抑止効果が得られるからである。
また、連結部材８が開閉枠２の下端２０と固定枠１の幕板部分２１の上端２２との間に収納されるベース部２３だけの構成であってもよいし、開閉枠２の下端２０と固定枠１の幕板部分２１の上端２２との間に収納されないベース部２３のみから成る連結部材を備えたものでもよい。以上の場合でも開閉枠２を安定に自立させることができるからである。
また、連結部材８を設けなくてもよい。この場合でも、開閉枠２の両側部５，５側に回転可能に取付けられた回転部材６，６のそれぞれが支持部材として機能するので、開閉枠２を安定に自立させることができるからである。
また、コ字形状の支持部材４を説明したが、開閉枠２の一側部５側に回転可能に取付けられるＬ字形状の支持部材を設けて自立装置を構成してもよい。つまり、開閉枠２の一側部５に回転可能に取付けられた回転部材６とこの回転部材６の下端に設けられた接地部材とで支持部材を構成してもよい。即ち、図１の回転部材６を１つだけにしたような構成の支持部材としてもよい。この場合、回転部材と接地部材とを相互に連結する補強部材を設けることにより支持部材に強度を持たせることができる。尚、この場合、接地部材に垂れ下がり部２７、立ち上がり部２５、対向部６０等を設ければ不正行為抑止効果も得られる。
また、上記では、開閉枠２に支持部材４を設けたが、固定枠１に支持部材を設ければ、固定枠１を安定に自立させることができる。この場合、例えば図１の固定枠１の側板１ａ，１ａの内面１ｂ，１ｂ等に回転部材取付部品２８，２８を取付けてこの回転部材取付部品２８，２８に支持部材４を取付ければよい。
【図面の簡単な説明】
【図１】固定枠、開閉枠の裏側、開閉枠に取付けられる本発明の実施形態１の支持部材を分解して示した分解斜視図。
【図２】固定枠、開閉枠、支持部材の関係を側面で示した図。
【図３】支持部材の保持機構を示す図。
【図４】支持部材の保持機構を示す図。
【図５】支持部材の保持機構を示す図。
【図６】支持部材の保持機構を示す図。
【図７】実施形態２を示す断面図。
【図８】実施形態３を示す断面図。
【符号の説明】
１  固定枠（遊技機枠）、２  開閉枠（遊技機枠）、４  支持部材、
５，５  開閉枠の両側部、６，６  回転部材、８  連結部材、
２０  開閉枠の下端、２１  幕板部分、２２  幕板部分の上端、
２３  ベース部、２５  立ち上がり部、２７  垂れ下がり部、３３  保持機構、
６０  対向部、１００  床。
【図１】
2004166780.tif 000003
【図２】
2004166780.tif 000004
【図３】
2004166780.tif 000005
【図４】
2004166780.tif 000006
【図５】
2004166780.tif 000007
【図６】
2004166780.tif 000008
【図７】
2004166780.tif 000009
【図８】
2004166780.tif 000010